【手続補正書】
【提出日】平成16年6月28日(2004.6.28)
【手続補正１】
【補正対象書類名】明細書
【補正対象項目名】請求項５
【補正方法】変更
【補正の内容】
【請求項５】
請求項４において，
前記データ計測手段は，
前記直流電源手段の作動の有無を，所定の基本計測区間の間，所定の第１の時間間隔で計測する第１の計測手段と，
前記直流電圧の値を，前記第１の時間の間，複数回計測し，計測した複数の前記直流電圧の値の平均値，最大値およびその計測時刻，ならびに最小値およびその計測時刻を求めるとともに，該処理を前記基本計測区間の間繰り返して得られた複数の平均値のさらに平均値である第１の平均値，複数の最大値の中のさらに最大値である第１の最大値およびその計測時刻，ならびに複数の最小値の中のさらに最小値である第１の最小値およびその計測時刻を求める第２の計測手段と，
前記直流電流の値を，前記第１の時間の間，複数回計測し，計測した複数の前記直流電流の値の平均値，最大値およびその計測時刻，ならびに最小値およびその計測時刻を求めるとともに，該処理を前記基本計測区間の間繰り返して得られた複数の平均値のさらに平均値である第２の平均値，複数の最大値の中のさらに最大値である第２の最大値およびその計測時刻，ならびに複数の最小値の中のさらに最小値である第２の最小値およびその計測時刻を求める第３の計測手段と，
前記プローブ直流電流の値またはプローブ直流電流密度の値を，前記第１の時間の間，複数回計測し，計測した複数の前記プローブ直流電流の値またはプローブ直流電流密度の値の平均値，最大値およびその計測時刻，ならびに最小値およびその計測時刻を求めるとともに，該処理を前記基本計測区間の間繰り返して得られた複数の平均値のさらに平均値である第３の平均値，複数の最大値の中のさらに最大値である第３の最大値およびその計測時刻，ならびに複数の最小値の中のさらに最小値である第３の最小値およびその計測時刻を求める第４の計測手段と，
を備え，
前記送信手段は，前記基本計測区間ごとに，前記第１の計測手段により計測された前記直流電源手段の作動の有無と，前記第２の計測手段により求められた前記第１の平均値，前記第１の最大値およびその計測時刻，ならびに前記第１の最小値およびその計測時刻と，前記第３の計測手段により求められた前記第２の計測手段により求められた前記第２の平均値，前記第２の最大値およびその計測時刻，ならびに前記第２の最小値およびその計測時刻と，前記第４の計測手段により求められた前記第３の平均値，前記第３の最大値およびその計測時刻，ならびに前記第３の最小値およびその計測時刻とを前記データ収集装置に送信する，
カソード防食施設監視システム。
【手続補正２】
【補正対象書類名】明細書
【補正対象項目名】請求項９
【補正方法】変更
【補正の内容】
【請求項９】
請求項８において，
前記データ計測手段は，
前記直流電源手段の作動の有無を，所定の基本計測区間の間，所定の第１の時間間隔で計測する第１の計測手段と，
前記直流電圧の値を，前記第１の時間の間，複数回計測し，計測した複数の前記直流電圧の値の平均値，最大値およびその計測時刻，ならびに最小値およびその計測時刻を求めるとともに，該処理を前記基本計測区間の間繰り返して得られた複数の平均値のさらに平均値である第１の平均値，複数の最大値の中のさらに最大値である第１の最大値およびその計測時刻，ならびに複数の最小値の中のさらに最小値である第１の最小値およびその計測時刻を求める第２の計測手段と，
前記直流電流の値を，前記第１の時間の間，複数回計測し，計測した複数の前記直流電流の値の平均値，最大値およびその計測時刻，ならびに最小値およびその計測時刻を求めるとともに，該処理を前記基本計測区間の間繰り返して得られた複数の平均値のさらに平均値である第２の平均値，複数の最大値の中のさらに最大値である第２の最大値およびその計測時刻，ならびに複数の最小値の中のさらに最小値である第２の最小値およびその計測時刻を求める第３の計測手段と，
前記プローブ直流電流の値またはプローブ直流電流密度の値を，前記第１の時間の間，複数回計測し，計測した複数の前記プローブ直流電流の値またはプローブ直流電流密度の値の平均値，最大値およびその計測時刻，ならびに最小値およびその計測時刻を求めるとともに，該処理を前記基本計測区間の間繰り返して得られた複数の平均値のさらに平均値である第３の平均値，複数の最大値の中のさらに最大値である第３の最大値およびその計測時刻，ならびに複数の最小値の中のさらに最小値である第３の最小値およびその計測時刻を求める第４の計測手段と，
を備え，
前記送信手段は，前記基本計測区間ごとに，前記第１の計測手段により計測された前記直流電源手段の作動の有無と，前記第２の計測手段により求められた前記第１の平均値，前記第１の最大値およびその計測時刻，ならびに前記第１の最小値およびその計測時刻と，前記第３の計測手段により求められた前記第２の計測手段により求められた前記第２の平均値，前記第２の最大値およびその計測時刻，ならびに前記第２の最小値およびその計測時刻と，前記第４の計測手段により求められた前記第３の平均値，前記第３の最大値およびその計測時刻，ならびに前記第３の最小値およびその計測時刻とを前記データ収集装置に送信する，
カソード防食施設監視システム。
【手続補正３】
【補正対象書類名】明細書
【補正対象項目名】請求項１５
【補正方法】変更
【補正の内容】
【請求項１５】
請求項１４において，
前記第１の計測手段は，前記直流電源手段の作動の有無を，所定の基本計測区間の間，所定の第１の時間間隔で計測し，
前記第２の計測手段は，前記直流電圧の値を，前記第１の時間の間，複数回計測し，計測した複数の前記直流電圧の値の平均値，最大値およびその計測時刻，ならびに最小値およびその計測時刻を求めるとともに，該処理を前記基本計測区間の間繰り返して得られた複数の平均値のさらに平均値である第１の平均値，複数の最大値の中のさらに最大値である第１の最大値およびその計測時刻，ならびに複数の最小値の中のさらに最小値である第１の最小値およびその計測時刻を求め，
前記第３の計測手段は，前記直流電流の値を，前記第１の時間の間，複数回計測し，計測した複数の前記直流電流の値の平均値，最大値およびその計測時刻，ならびに最小値およびその計測時刻を求めるとともに，該処理を前記基本計測区間の間繰り返して得られた複数の平均値のさらに平均値である第２の平均値，複数の最大値の中のさらに最大値である第２の最大値およびその計測時刻，ならびに複数の最小値の中のさらに最小値である第２の最小値およびその計測時刻を求め，
前記第４の計測手段は，前記プローブ直流電流の値またはプローブ直流電流密度の値を，前記第１の時間の間，複数回計測し，計測した複数の前記プローブ直流電流の値またはプローブ直流電流密度の値の平均値，最大値およびその計測時刻，ならびに最小値およびその計測時刻を求めるとともに，該処理を前記基本計測区間の間繰り返して得られた複数の平均値のさらに平均値である第３の平均値，複数の最大値の中のさらに最大値である第３の最大値およびその計測時刻，ならびに複数の最小値の中のさらに最小値である第３の最小値およびその計測時刻を求め，
前記送信手段は，前記基本計測区間ごとに，前記第１の計測手段により計測された前記直流電源手段の作動の有無と，前記第２の計測手段により求められた前記第１の平均値，前記第１の最大値およびその計測時刻，ならびに前記第１の最小値およびその計測時刻と，前記第３の計測手段により求められた前記第２の計測手段により求められた前記第２の平均値，前記第２の最大値およびその計測時刻，ならびに前記第２の最小値およびその計測時刻と，前記第４の計測手段により求められた前記第３の平均値，前記第３の最大値およびその計測時刻，ならびに前記第３の最小値およびその計測時刻とを前記データ収集装置に送信する，
カソード防食施設。